(57)【要約】【課題】  係止孔に対するハーネスクリップの挿入部の初期挿入が容易で、係止孔に挿入部をストレスなくスムーズに差し込むことができるハーネスクリップの取付部構造の提供。【解決手段】  ハーネス配索部となるモータファンシュラウド２に備えられるハーネスクリップ取付部３の座面３２にハーネスクリップ１の挿入部１４を圧入して内側開口縁部に係止爪１５、１５を係止可能な係止孔３３ａを備えた筒状部３３が内側へ向けて突出形成され、係止孔３３ａの外側開口縁部にはハーネスクリップ取付部３の座面３２から係止孔３３ａにハーネスクリップ１の挿入部１４を案内する環状テーパ部３３ｂが形成されている。【選択図】      図５
2008199768.tif 000002
【特許請求の範囲】
【請求項１】
ハーネス配索部に備えられるハーネスクリップ取付部の座面にハーネスクリップの挿入部を圧入して内側開口縁部に係止爪を係止可能な係止孔を備えた筒状部が内側へ向けて突出形成され、
前記係止孔の外側開口縁部には前記ハーネスクリップ取付部の座面から前記係止孔に前記ハーネスクリップの挿入部を案内する環状テーパ部が形成されていることを特徴とするハーネスクリップの取付部構造。
【請求項２】
請求項１に記載のハーネスクリップの取付部構造において、前記ハーネスクリップ取付部の表面から外側へ向けて突出する外向き筒状部の先端面に前記座面が形成され、
前記係止孔に挿入して係止爪が内側開口縁部に係止されたハーネスクリップの挿入部が前記ハーネスクリップ取付部の裏面側に突出しない高さに前記外向き筒状部の突出高さが形成されていることを特徴とするハーネスクリップの取付部構造。
【請求項３】
請求項１または２に記載のハーネスクリップの取付部構造において、前記環状テーパ部と筒状部の一部に前記係止孔に前記ハーネスクリップの挿入部を挿入する際に前記係止爪がスムーズに通過可能な切欠部が形成されていることを特徴とするハーネスクリップの取付部構造。
【発明の詳細な説明】
【技術分野】
【０００１】
本発明は、モータファンシュラウド等に備えられる電装部品に電流を供給するハーネスをモータファンシュラウド等の表面に配索するために用いられるハーネスクリップの取付部構造に関する。
【背景技術】
【０００２】
従来、ハーネスクリップの取付部構造としては、ハーネスが配索されるハーネスクリップの取付部となる座面に、ハーネスクリップの挿入部を圧入して係止爪を開口縁部に係止させる係止孔が形成された構造のものが知られている（例えば、特許文献１参照。）。
【特許文献１】実開平７−８１０２号公報
【発明の開示】
【発明が解決しようとする課題】
【０００３】
しかしながら、従来例のハーネスクリップの取付部構造にあっては、ハーネスクリップの取付部となる座面に単に係止孔が形成されている構造であったため、係止孔に対するハーネスクリップの挿入部の初期挿入が困難で、特に座面に対しハーネスクリップの挿入部を垂直に当接させないと、係止孔にストレスなくスムーズに差し込むことができないという問題があった。
【０００４】
本発明の解決しようとする課題は、係止孔に対するハーネスクリップの挿入部の初期挿入が容易で、係止孔に挿入部をストレスなくスムーズに差し込むことができるハーネスクリップの取付部構造を提供することにある。
【課題を解決するための手段】
【０００５】
上記課題を解決するため請求項１記載のハーネスクリップの取付部構造は、ハーネスクリップ取付部の座面にハーネスクリップの挿入部を圧入して内側開口縁部に係止爪を係止可能な係止孔を備えた筒状部が内側へ向けて突出形成され、前記係止孔の外側開口縁部には前記ハーネスクリップ取付部の座面から前記係止孔に前記ハーネスクリップの挿入部を案内する環状テーパ部が形成されていることを特徴とする手段とした。
【発明の効果】
【０００６】
本発明のハーネスクリップの取付部構造では、上述のように、係止孔の外側開口縁部には前記ハーネスクリップ取付部の座面から前記係止孔に前記ハーネスクリップの挿入部を案内する環状テーパ部が形成されることで、係止孔に対するハーネスクリップの挿入部の初期挿入が容易で、係止孔に挿入部をストレスなくスムーズに差し込むことができるようになるという効果が得られる。
【発明を実施するための最良の形態】
【０００７】
以下にこの発明の実施例を図面に基づいて説明する。
【実施例１】
【０００８】
この実施例１のハーネスクリップの取付部構造は、請求項１および２に記載の発明に対応する。
【０００９】
まず、この実施例１のハーネスクリップの取付部構造を図面に基づいて説明する。
【００１０】
図１はこの実施例１のハーネスクリップの取付部構造が適用されたモータファンシュラウドを示す要部の斜視図、図２は図１のＡ−Ａ線における拡大縦断面図、図３はハーネスクリップによるハーネスの配索状態を示す斜視図、図４は図３の要部拡大縦断面図、図５は図４のＢ−Ｂ線における横断面図である。
【００１１】
この実施例１のハーネスクリップの取付部構造は、ハーネスクリップ１と、モータファンシュラウド（ハーネス配索部）２と、ハーネスクリップ取付部３と、ハーネス４と、を備えている。
【００１２】
さらに詳述すると、上記ハーネスクリップ１は、図３、４に示すように、ハーネス４を巻き締めて保持するハーネス保持用バンド部１１が備えられたクリップ本体部１２と、このクリップ本体部１２に連接されてスカート状に広がるフランジ１３と、このフランジ１３の中心部からクリップ本体部１２の反対側に延出された挿入部１４と、この挿入部１４の先端部両側に突出形成された一対の係止爪１５、１５とが、合成樹脂で一体二形成されている。
【００１３】
そして、上記係止爪１５、１５の先端には、図５に示すように、差し込み案内テーパ部１５ａ、１５ａが形成されている。
【００１４】
また、上記クリップ本体部１２には、ハーネス保持用バンド部１１を差し込んでハーネス４を締め付け固定する差し込み孔１１ａが形成されていて、この差し込み孔にハーネス保持用バンド部１１を差し込むことにより、図示を省略した複数の係止用段部が係止してハーネス４の締め付け状態が維持されるようになっている。
【００１５】
上記モータファンシュラウド２は、図外のモータファンで取り込んだ空気を側方へ逃がさないようにするため、図外の熱交換器とモータファンの周りとの間を覆って空気流をガイドする役目をなすものであって、図１、３に示すように、全体が合成樹脂で一体に形成されている。
【００１６】
また、このモータファンシュラウド２には図外の熱交換器が付設され、その中央には図外のモータファンが収容されるようになっている。
【００１７】
そして、このモータファン等の電装部品に電源を供給するハーネス４を配索させるために、該モータファンシュラウド２の外周パネル部に上記ハーネスクリップ取付部３が複数形成されている。
【００１８】
このハーネスクリップ取付部３は、図１、２に示すように、ハーネス４が配索される表面側から外側へ突出する外向き筒状部３１の先端面に座面３２が形成され、この座面３２にハーネスクリップ１の挿入部１４を圧入してその内側開口縁部に係止爪１５、１５を係止可能な係止孔３３ａを備えた筒状部３３が内側へ向けて突出形成されている。
【００１９】
また、この係止孔３３ａの外側開口縁部にはハーネスクリップ取付部３の座面３２から係止孔３３ａにハーネスクリップ１の挿入部１４を案内する環状テーパ部３３ｂが形成されている。
【００２０】
そして、図４、５に示すように、係止孔３３ａに挿入して係止爪１５、１５が内側開口縁部に係止されたハーネスクリップ１の挿入部１４がハーネスクリップ取付部３の裏面側に突出しない高さに外向き筒状部３１の突出高さが形成されている。
【００２１】
次に、この実施例１の作用を説明する。
【００２２】
この実施例１のハーネスクリップの取付部構造では上述のように構成されるため、ハーネスクリップ１の挿入部１４の先端をハーネスクリップ取付部３の座面３２に押し当てると、まず、環状テーパ部３３ｂに誘い込まれて位置決めされた状態になるため、この状態でさらに押し込むことにより、挿入部１４がこの環状テーパ部３３ｂに案内されて係止孔３３ａ内にストレスなくスムーズに挿入される。
【００２３】
そして、フランジ１３が座面３２に当接した状態から、このフランジ１３の弾性に抗して挿入部１４をさらに押し込むことにより、フランジ１３が少しつぶれた状態で両係止爪１５、１５が筒状部３３の内側開口縁部に係合し、これにより、図４、５に示すように、フランジ１３と両係止爪１５、１５との間に座面３２と筒状部３３の内側開口縁部との間を締め付けた状態でハーネスクリップ１の抜けが阻止された状態で取り付けが完了する。
【００２４】
次に、この実施例１の効果を説明する。
【００２５】
この実施例１のハーネスクリップの取付部構造では、上述のように、係止孔３３ａの外側開口縁部にはハーネスクリップ取付部３の座面３２から係止孔３３ａにハーネスクリップ１の挿入部１４を案内する環状テーパ部３３ｂが形成されることで、係止孔３３ａに対するハーネスクリップ１の挿入部１４の初期挿入が容易で、係止孔３３ａに挿入部１４をストレスなくスムーズに差し込むことができるようになるという効果が得られる。
【００２６】
また、係止孔３３ａに対するハーネスクリップ１の挿入部１４の初期挿入が容易であるため、座面３２に対しハーネスクリップ１の挿入部１４を垂直に当接させなくても、係止孔３３ａにストレスなくスムーズに差し込むことができるため、ハーネス保持用バンド部１１をハーネス４に巻き締め保持した状態のハーネスクリップ１を座面３２に対し傾斜させた状態から挿入部１４を係止孔３３ａに差し込んで行くことにより、挿入部１４が係止孔３３ａに対し垂直に差し込まれた時点でハーネス４を引き寄せて弛みのない直線状態に配索させることができるようになる。
【００２７】
また、係止孔３３ａに挿入して係止爪１５、１５が内側開口縁部に係止されたハーネスクリップ１の挿入部１４がハーネスクリップ取付部３の裏面側に突出しない高さに外向き筒状部３１の突出高さが形成されることで、モータファンシュラウド２の裏面側から挿入部１４が露出しないため、作業中等に挿入部１４の先端部に工具等が当たって外れることを阻止することができるようになる。
【００２８】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００２９】
この実施例２は、実施例１におけるハーネスクリップの取付部構造の変形例を示すものであり、図６（ハーネスクリップ取付部の正面図）、図７（図６のＣ−Ｃ線における縦断面図、及び、図８（図６のＤ−Ｄ線における横断面図）に示すように、環状テーパ部３３ｂと筒状部３３の一部に係止孔３３ａにハーネスクリップ１の挿入部１４を挿入する際に係止爪１５、１５がスムーズに通過可能な切欠部３３ｃ、３３ｃが形成されている点が、上記実施例１とは相違したものである。
【００３０】
即ち、この実施例２では、上述のように構成されるため、ハーネス４両係止爪１５、１５の位置を両切欠部３３ｃ、３３ｃの位置に合わせて挿入部１４を係止孔３３ａ内に押し込んで行き、フランジ１３が座面３２に当接した状態から、このフランジ１３の弾性に抗して挿入部１４をさらに押し込んで挿入部１４を９０度回転させることにより、フランジ１３が少しつぶれた状態で両係止爪１５、１５が筒状部３３の内側開口縁部に係合し、これにより、フランジ１３と両係止爪１５、１５との間に座面３２と筒状部３３の内側開口縁部との間を締め付けた状態でハーネスクリップ１の抜けが阻止された状態で取り付けが完了する。
【００３１】
そして、この実施例２では、上述のようにハーネスクリップ１を回転させるため、ハーネスクリップ１を取り付けた後に、ハーネス保持用バンド部１１をハーネス４に巻き締め保持することになる。
【００３２】
また、ハーネス保持用バンド部１１によるハーネス４に巻き締め保持状態を解除させた状態で、ハーネスクリップ１をさらに９０度回転させることにより、筒状部３３の内側開口縁部に対する両係合爪１５、１５の係止状態が解除され、係止孔３３ａから挿入部１４を容易に引き抜くことができる。
【００３３】
また、ハーネスクリップ１の挿入部１４の先端をハーネスクリップ取付部３の座面３２に押し当てると、まず、環状テーパ部３３ｂに誘い込まれて位置決めされた状態になるため、この状態でハーネスクリップを回転させるだけで、両係止爪１５、１５を両切欠部３３ｃ、３３ｃに誘い込むことができ、これにより、両切欠部３３ｃ、３３ｃに対する両係止爪１５、１５の位置合わせが容易に行えるようになる。
【００３４】
従って、この実施例２では、実施例１と同様の効果が得られる他、モータファン取付部２に対するハーネスクリップ１の着脱操作が容易に行えるようになるという追加の効果が得られる。
【００３５】
以上本実施例を説明してきたが、本発明は上述の実施例に限られるものではなく、本発明の要旨を逸脱しない範囲の設計変更等があっても、本発明に含まれる。
【００３６】
例えば、実施例では、ハーネス４が配索される表面側から外側へ突出する外向き筒状部３１の先端面に座面３２を形成したが、外向き筒状部３１は省略してもよい。
【００３７】
また、実施例では、ハーネス配索部としてモータファンシュラウドを例にとったが、ハーネスを配索する必要がある部分全てに適用することができる。
【００３８】
また、実施例では、挿入部１４を中実状に形成したが、中空状に形成してもよく、その形状は任意である。
【００３９】
また、ハーネス配索部が合成樹脂で構成されている場合を例にとったが、プレス成形品等のように金属製であってもよい。
【図面の簡単な説明】
【００４０】
【図１】実施例１のハーネスクリップの取付部構造が適用されたモータファンシュラウドを示す要部の斜視図である。
【図２】図１のＡ−Ａ線における拡大縦断面図である。
【図３】ハーネスクリップによるハーネスの配索状態を示す斜視図である。
【図４】図３の要部拡大縦断面図である。
【図５】図４のＢ−Ｂ線における横断面図
【図６】実施例２のハーネスクリップの取付部構造が適用されたモータファンシュラウドにおけるハーネスクリップ取付部の正面図である。
【図７】図６のＣ−Ｃ線における縦断面図である。
【図８】図６のＤ−Ｄ線における横断面図である。
【符号の説明】
【００４１】
１  ハーネスクリップ
１１  ハーネス保持用バンド部
１１ａ  差し込み孔
１２  クリップ本体部
１３  フランジ
１４  挿入部
１５  係止爪
２  モータファンシュラウド（ハーネス配索部）
３  ハーネスクリップ取付部
３１  外向き筒状部
３２  座面
３３  筒状部
３３ａ  係止孔
３３ｂ  環状テーパ部
３３ｃ  切欠部
４  ハーネス
【図１】
2008199768.tif 000003
【図２】
2008199768.tif 000004
【図３】
2008199768.tif 000005
【図４】
2008199768.tif 000006
【図５】
2008199768.tif 000007
【図６】
2008199768.tif 000008
【図７】
2008199768.tif 000009
【図８】
2008199768.tif 000010